(57)【要約】【課題】写真シール作成装置の利用を促進することができる管理サーバを提供する。【解決手段】本発明の一態様の管理サーバ（４）は、写真シール作成装置から受信したユーザの画像を管理する画像管理部（４１４）と、該画像の画像提供サービスをユーザに提供するウェブページ作成部（４１３）と、ユーザが、複数の会員種別のうちのいずれに該当するかを判定する会員種別判定手段とを備え、ウェブページ作成部は、ユーザがいずれの会員種別に該当するかに応じて、それぞれ異なるウェブページを提供する。【選択図】図１
2018197862.tif 000002
【特許請求の範囲】
【請求項１】
ネットワークを介して写真シール作成装置に接続される管理サーバであって、
上記写真シール作成装置から受信したユーザの画像を管理する画像管理手段と、
上記画像の画像提供サービスを上記ユーザに提供するサービス提供手段と、
上記ユーザが複数の会員種別のうちのいずれに該当するかを判定する会員種別判定手段とを備え、
上記サービス提供手段は、上記ユーザがいずれの会員種別に該当するかに応じて、それぞれ異なるウェブページを提供することを特徴とする管理サーバ。
【請求項２】
上記ユーザが上記該当する会員種別の会員である期間の長さを特定する会員期間特定手段を備え、
上記サービス提供手段は、上記会員である期間の長さに応じて、それぞれ異なるウェブページを提供することを特徴とする請求項１に記載の管理サーバ。
【請求項３】
上記サービス提供手段が提供する上記ウェブページには、上記写真シール作成装置から受信したユーザの画像以外の、特典としてダンロード可能な特典画像が含まれることを特徴とする請求項１又は２に記載の管理サーバ。
【請求項４】
請求項１から３のいずれか一項に記載の管理サーバとしてコンピュータを機能させるための制御プログラムであって、コンピュータを上記各手段として機能させるための制御プログラム。
【請求項５】
請求項４に記載の制御プログラムを記録したコンピュータ読み取り可能な記録媒体。
【請求項６】
ネットワークを介して写真シール作成装置に接続される管理サーバの制御方法であって、
上記写真シール作成装置から受信したユーザの画像を管理する画像管理ステップと、
上記画像の画像提供サービスを上記ユーザに提供するサービス提供ステップと、
上記ユーザが複数の会員種別のうちのいずれに該当するかを判定する会員種別判定ステップと、
上記ユーザがいずれの会員種別に該当するかに応じて、それぞれ異なるウェブページを提供するウェブページ提供ステップとを含むことを特徴とする管理サーバの制御方法。
【発明の詳細な説明】
【技術分野】
【０００１】
本発明は、ネットワークを介して、写真シール作成装置に接続される管理サーバに関する。
【背景技術】
【０００２】
近年、写真シール作成装置において生成された画像をユーザに提供するサービスとして、画像の印刷されたプリントシールをユーザに提供するサービスと併せて、ユーザの所有する携帯端末に画像を表示させることによって画像をユーザに提供するサービスが広がってきている。
【０００３】
特許文献１には、管理サーバが写真シール作成装置の利用回数に応じてユーザにポイントを発行し、ユーザは累積したポイントをデジタルコンテンツ等と交換できる技術が記載されている。ポイントの管理は、写真シール作成装置と接続された管理サーバで行われる。ユーザは、管理サーバから会員に提供される会員証アプリケーションを介して、ポイントの利用を行う。
【先行技術文献】
【特許文献】
【０００４】
【特許文献１】特開２０１２−１４２７７３号公報（２０１２年７月２６日公開）
【発明の概要】
【発明が解決しようとする課題】
【０００５】
例えばユーザへの画像の提供は、写真シール作成装置から画像を受け取った画像提供サイトにおいて行われる。ユーザは、画像提供サイトを利用するために、事前に会員登録を行う。
【０００６】
しかしながら、従来の技術では、写真シール作成装置において生成された画像を提供するサービスの内容は、会員である期間が長いユーザに対しても、短いユーザに対しても、同じであった。そのため、ユーザは継続して会員でいるメリットが少なかった。それゆえ、サービスを使用したいときだけ画像提供サイトに一時的に入会して、入退会を繰り返すユーザが生じる。そのようなことでは、写真シール作成装置の利用を十分に促進することができない。
【０００７】
本発明は、上記の課題を解決するためになされたものであり、その主たる目的は、ユーザの写真シール作成装置の利用を促進することができる管理サーバを提供することにある。
【課題を解決するための手段】
【０００８】
本発明の一態様に係る管理サーバは、上記の課題を解決するために、ネットワークを介して写真シール作成装置に接続される管理サーバであって、上記写真シール作成装置から受信したユーザの画像を管理する画像管理手段と、上記画像の画像提供サービスを上記ユーザに提供するサービス提供手段と、上記ユーザが複数の会員種別のうちのいずれに該当するかを判定する会員種別判定手段とを備え、上記サービス提供手段は、上記ユーザがいずれの会員種別に該当するかに応じて、それぞれ異なるウェブページを提供することを特徴としている。
【０００９】
また、本発明の一態様に係る管理サーバは、上記ユーザが上記該当する会員種別の会員である期間の長さを特定する会員期間特定手段を備え、上記サービス提供手段は、上記会員である期間の長さに応じて、それぞれ異なるウェブページを提供するとすることができる。
【００１０】
また、本発明の一態様に係る管理サーバは、上記サービス提供手段が提供する上記ウェブページには、上記写真シール作成装置から受信したユーザの画像以外の、特典としてダンロード可能な特典画像が含まれるとすることができる。
【００１１】
また、本発明の一態様に係る管理サーバの制御方法は、ネットワークを介して写真シール作成装置に接続される管理サーバの制御方法であって、上記写真シール作成装置から受信したユーザの画像を管理する画像管理ステップと、上記画像の画像提供サービスを上記ユーザに提供するサービス提供ステップと、上記ユーザが複数の会員種別のうちのいずれに該当するかを判定する会員種別判定ステップと、上記ユーザがいずれの会員種別に該当するかに応じて、それぞれ異なるウェブページを提供するウェブページ提供ステップとを含むとすることができる。
【００１２】
本発明の各態様に係る管理サーバは、コンピュータによって実現してもよく、この場合には、コンピュータを上記管理サーバが備える各手段として動作させることによって上記管理サーバをコンピュータにて実現させる管理サーバの制御プログラム、およびそれを記録したコンピュータ読み取り可能な記録媒体も、本発明の範疇に入る。
【発明の効果】
【００１３】
本発明の一態様によれば、ユーザの写真シール作成装置の利用を促進することができる。
【図面の簡単な説明】
【００１４】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第２実施形態における携帯端末への画像保存に関する一連の処理の流れの一例を示すシーケンス図である。
【図１９】本発明の第２実施形態における特典利用時の、携帯端末の表示部に表示されるウェブページの一例を示す画面遷移図である。
【図２０】本発明の第３実施形態における管理サーバの要部構成を示すブロック図である。
【図２１】本発明の第３実施形態に係る撮影画像管理システムにおける特典の付与に関する一連の処理の流れの一例を示すシーケンス図である。
【発明を実施するための形態】
【００１５】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００１６】
（撮影画像管理システム１０）
図２は、本発明の第１実施形態に係る撮影画像管理システム１０の構成を示す図である。図２に示すように、撮影画像管理システム１０は、写真シール作成装置１、携帯端末６（ユーザ端末）、および管理サーバ４を備えている。
【００１７】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００１８】
画像提供サイトへの画像の保存には、事前の会員登録が必要である。会員種類としては、無料会員、有料会員、およびプレミアム会員（第３種会員、第２種会員、および第１種会員）がある。ユーザは、いずれかの会員として自身の情報を画像提供サイトに登録する。なお、ユーザは、自身の会員種類（会員属性）を、無料会員から有料会員またはプレミアム会員に、あるいはその逆に変更することができる。
【００１９】
例えば、無料会員は、会費を支払う必要がないが、画像提供サイトで受けられる画像提供サービスに制限を受ける。本実施形態では、無料会員は、写真シール作成装置１における１回のゲームにおいて画像提供サイトに保存できる画像の枚数が１枚に限定される。また、無料会員は、画像提供サイトに保存できる画像の合計数の上限が１０枚に限定され、画像提供サイトにおける画像の保存期間は６ヶ月に限定される。
【００２０】
有料会員は、所定の会費（料金）を継続的に支払う必要がある代わりに、画像提供サイトで受けられる画像提供サービスが、無料会員より多い。本実施形態では、有料会員は、写真シール作成装置１における１回のゲームにおいて生成された画像（例えば６枚）を全て画像提供サイトに保存できる。ただし、有料会員は、画像提供サイトに保存できる画像の合計数の上限が６０枚に限定され、画像提供サイトにおける画像の保存期間は１年に限定される。また、有料会員は、画像提供サイトにおいて、画像に対する追加編集（落書き）を行う機能を利用可能である。追加編集の機能としては、例えば、ペンスタンプ入力、背景画像変更、色合い変更、フレーム画像追加、および画像への名前入力等がある。
【００２１】
プレミアム会員は、有料会員より高い料金を支払う必要がある代わりに、画像提供サイトにおいて有料会員よりもさらに多くの画像提供サービスを受けることができる。なお、プレミアム会員になるために、所定の条件、例えば有料会員である期間の長さが所定の期間を超えているという条件を満たす必要があるとしてもよい。本実施形態では、プレミアム会員は、写真シール作成装置１における１回のゲームにおいて生成された画像（例えば６枚）を全て画像提供サイトに保存できる。また、プレミアム会員は、画像提供サイトに保存できる画像の合計数および保存期間に制限がない。さらに、プレミアム会員は、写真シール作成装置で編集された画像に加えて、編集前の撮影画像をも画像提供サイトから取得することができる。また、プレミアム会員は、より画質のよい（高精細な、画像サイズが大きい）画像を画像提供サイトから取得することができる。また、プレミアム会員は、画像提供サイトにおける該ユーザのウェブページのデザインをカスタマイズすることができる。また、プレミアム会員は、画像提供サイトにおいて上記の追加編集の機能に加えて、さらに充実した追加編集の機能を利用可能である。例えば、プレミアム会員は、画像提供サイト上で、画像の補正パラメータを変更することにより、画像の目の大きさ、および顔の大きさ等を修正することができる。また、プレミアム会員は、画像提供サイトにおいて、専用のコンテンツ（例えば、特別会員（モデル）の画像等）を閲覧可能としてもよい。
【００２２】
まとめると、ユーザが支払う料金は、無料会員＜有料会員＜プレミアム会員、となる。ユーザが受けられる画像提供サービスの多さは、無料会員＜有料会員＜プレミアム会員、となる。ここで画像提供サービスとは、写真シール作成装置１で生成された画像を、管理サーバ４が管理する画像提供サイトにおいてユーザに提供する（閲覧、取得させる）サービスである。
【００２３】
本実施形態では、ユーザが無料会員または有料会員である期間の長さが所定の条件を満たした場合、プレミアム会員用の一部のサービス（ウェブページのデザインのカスタマイズ）を受けることができる。
【００２４】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００２５】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用のアカウント領域に、画像が保存される。
【００２６】
画像提供サイトへの画像保存後、ユーザは、携帯端末６または所望の他の装置を用いて画像提供サイトにログインして、画像をダウンロードすることができる。
【００２７】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００２８】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００２９】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３０】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００３４】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００３５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３６】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００３７】
図３に示す編集部１２の構成を正面側の構成とすると、２組のユーザが同時に編集することができるように、編集部１２の正面側と背面側には編集制御に用いられる構成がそれぞれ設けられる。
【００３８】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００３９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４０】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００４１】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を携帯電話機などの携帯端末に送信する処理、ミニゲームをユーザに行わせる処理、アンケートに答えさせる処理などが含まれる。
【００４２】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００４３】
（ユーザの移動）
写真シール作成ゲームの流れと、それに伴うユーザの移動について図５を参照して説明する。図５は、ユーザの移動について説明する図である。
【００４４】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００４５】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００４６】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００４８】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００４９】
画像の印刷が終了したとき、ユーザは、事後接客部１３に設けられた排出口からシール紙を受け取り、一連の写真シール作成ゲームを終えることになる。
【００５０】
（各部材の構成）
次に、写真シール作成装置１に備えられる各部材の構成について説明する。
【００５１】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００５２】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００５３】
正面パネル４１のほぼ中央には撮影・表示ユニット８１が設けられる。撮影・表示ユニット８１は、カメラ９１、正面ストロボ９２、およびタッチパネルモニタ９３から構成される。
【００５４】
カメラ９１は、ＣＣＤ（Charge Coupled Device）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００５５】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００５６】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５７】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００５８】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００５９】
足元ストロボ８６の右側には、ユーザがお金を投入する硬貨投入返却口８７が設けられる。
【００６０】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００６１】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００６２】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００６３】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６４】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００６５】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００６６】
（事後接客部１３）
編集部１２の左側には事後接客部１３が設けられる。図９は、写真シール作成装置１に備えられる事後接客部１３の構成例を示す図である。
【００６７】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００６８】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００６９】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７０】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７１】
スピーカ１６５は、事後接客時の案内音声、ＢＧＭ、効果音等の音を出力する。
【００７２】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００７３】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００７４】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００７５】
通信部２０３はインターネットなどのネットワークのインタフェースであり、制御部２０１による制御に従って外部の装置と通信を行う。
【００７６】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００７７】
ＲＯＭ２０６には、制御部２０１において実行されるプログラムおよびデータが記憶されている。ＲＡＭ２０７は、制御部２０１が処理するデータおよびプログラムを一時的に記憶する。
【００７８】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００７９】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８０】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８１】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００８２】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００８３】
カメラ９１は、制御部２０１による制御に従って撮影を行い、撮影によって得られた画像（画像）を制御部２０１に出力する。
【００８４】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００８５】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００８６】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００８７】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００８８】
また、印刷部２１１は、印刷制御に係る処理において、シール紙への撮影画像（又は編集画像）の印刷に加え、欄外（シール紙の端部など）に、携帯端末６へ送信した画像を取得するためのＵＲＬ、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００８９】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９０】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコード（登録商標）が印刷されている場合には、ユーザは、携帯端末６を用いてＱＲコード（登録商標）の示すウェブページへアクセスすることにより、画像取得用ページへ直接アクセスすることもできる。
【００９１】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【００９２】
通信制御部３１１は、通信部２０３による外部の装置との通信を制御する。
【００９３】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【００９４】
編集制御部３１３は、編集部１２Ａおよび編集部１２Ｂによる画像に対する落書き編集等、写真シール作成ゲームにおけるユーザの編集制御に関する処理を制御する。
【００９５】
印刷制御部３１４は、印刷部２１１によるシール紙の印刷等、写真シール作成ゲームにおけるユーザの印刷制御に関する処理を制御する。
【００９６】
事後接客制御部３１５は、事後接客部１３による、編集作業を終了したユーザグループを接客する処理等、写真シール作成ゲームにおける事後接客に関する処理を制御する。
【００９７】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【００９８】
（制御部４０１の詳細）
図１に示すように、制御部４０１は、通信制御部４１１、メール作成部４１２、ウェブページ作成部４１３（サービス提供手段）、画像管理部４１４（画像管理手段）、および会員期間特定部４１５（会員期間特定手段）を備えている。
【００９９】
（通信制御部４１１）
通信制御部４１１は、通信部４０３による通信を制御する。
【０１００】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１０１】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別（会員種類）に応じたウェブページを作成する。
【０１０２】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１０３】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１０４】
（会員期間特定部４１５）
会員期間特定部４１５は、ユーザが会員である期間の長さを特定する。
【０１０５】
（記憶部４０２の詳細）
図１に示すように、記憶部４０２は、メールデータベース４２１、会員データベース４２２、ウェブページデータベース４２３、および画像データベース４２４を有している。
【０１０６】
（メールデータベース４２１）
メールデータベース４２１は、ユーザに送信するメールを作成するための各種データを格納している。
【０１０７】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、退会日、会員属性変更日、および、ユーザが保有する携帯端末の端末ＩＤなどを挙げることができる。また、会員属性としては、例えば、有料会員、無料会員、およびプレミアム会員などを挙げることができる。現時点で会員であるユーザの場合、退会日は現在の日付を示す値（例えば「today」等）としてもよい。
【０１０８】
（ウェブページデータベース４２３）
ウェブページデータベース４２３は、携帯端末６に表示される画像提供サイトのウェブページを作成するための各種データを格納している。
【０１０９】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１１０】
図示はしないが、記憶部４０２は、写真シール作成装置１から受信した画像などのデータを一時的に保存する一時保存データベースも有している。
【０１１１】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１１２】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１１３】
（制御部６０１の詳細）
図１２に示すように、制御部６０１は、通信制御部６１１、入力制御部６１２、および表示制御部６１３を備えている。
【０１１４】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１１５】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１１６】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１１７】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１１８】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１１９】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メー
ル１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１２０】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１２１】
この要求を受けて、管理サーバ４は、無料会員登録を完了させる。具体的には、管理サーバ４が、会員データベース４２２にユーザ用のアカウント領域を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１２２】
なお、ユーザは、無料会員の登録後、会員ＩＤ及びパスワードを入力することにより画像提供サイトにログインし、所定の手続きを踏むことによって、自身を有料会員またはプレミアム会員として画像提供サイトに登録することができる。この登録完了後、ユーザのアカウント領域には、ユーザが有料会員またはプレミアム会員であることを表す情報が追加される。
【０１２３】
以上では、まず無料会員として登録してから、有料会員またはプレミアム会員に登録する例を示したが、これに限らない。例えば、最初の入会時に、無料会員、有料会員、およびプレミアム会員のいずれかを選択可能であってもよい。この場合、それぞれの会員に必要な料金も合わせて会員登録用のウェブページに表示される。
【０１２４】
（サービスの流れ）
次に、撮影画像管理システム１０によって提供されるサービスの流れの詳細について、図１４、図１５を参照して以下に説明する。図１４は、撮影画像管理システム１０における写真撮影から画像保存までの一連の処理の流れの一例を示すシーケンス図である。
【０１２５】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１２６】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１２７】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１２８】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１２９】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１３０】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１３１】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１３２】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１３３】
（画像送信）
通信制御部３１１は、入力されたメールアドレス、および選択された複数の画像もしくは制御部２０１が送信対象と決定した画像を、互いに関連付けて、通信部２０３を通じて管理サーバ４に送信する（ステップＳ６）。このとき送信される画像には、当該画像を一義的に特定するための識別子（画像ＩＤ）が関連付けられている。後述するように、写真シール作成装置１は、事前に会員種別をユーザに入力させるか、管理サーバ４に問い合わせるかによりユーザの会員種別を確認し、ユーザの会員種別に応じて、管理サーバ４に送信する画像を変更してもよい。写真シール作成装置１は、ユーザに選択された画像のみを管理サーバ４に送信する代わりに、ユーザの選択に関わらず、生成された全ての画像を管理サーバ４に送信してもよい。また、写真シール作成装置１は、生成された画像（編集された画像）に加えて、編集前の撮影画像を管理サーバ４に送信してもよい。
【０１３４】
写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１３５】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１３６】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１３７】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１３８】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１３９】
（画像保存用ウェブページの要求）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１４０】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員Ｉ
Ｄを取得し、この会員ＩＤを含みかつウェブページの提供を求める所定のリクエストを、通信部６０３を通じて管理サーバ４に送信する。
【０１４１】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員、有料会員、およびプレミアム会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。ユーザがプレミアム会員である場合も、作成されるウェブページは有料会員のものと同様のものであるので、図示は省略する。
【０１４２】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１４３】
図１５（ｃ）に示すように、ウェブページ１１０７は、一つのサムネイル画像１１０４、および、全ての画像を保存するためのリンク画像１１０８を含んでいる。
【０１４４】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１４５】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１４６】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１４７】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１４８】
一時保存データベースは、ユーザの画像を所定期間保存するが、所定期間内に画像データベース４２４への保存処理が行われないと、一時保存データベースから画像は削除される。会員種別に応じて、一時保存データベースにおいて保存する上記所定期間（一時保存期間）の長さを変更してもよい。例えば、有料会員の一時保存期間は無料会員の一時保存期間より長く、プレミアム会員の一時保存期間は有料会員の一時保存期間より長くしてもよい。
【０１４９】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１５０】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザのアカウント領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１５１】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１５２】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１５３】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１５４】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページ作成部４１３は、会員期間特定部４１５に会員ＩＤを出力することで、該ユーザが該会員である期間の長さを問い合わせる。
【０１５５】
会員期間特定部４１５は、会員データベース４２２から入会日および会員属性変更日等の情報を取得し、ユーザが該会員である期間を特定する（ステップＳ２３）。会員期間特定部４１５は、特定された会員である期間をウェブページ作成部４１３に出力する。
【０１５６】
ウェブページ作成部４１３は、ユーザの会員種別およびユーザが会員である期間に応じて、ウェブページデータベース４２３から、会員トップページ１０３１を生成するためのデータを取得する。ウェブページ作成部４１３は、当該データを用いて、ユーザの会員種別およびユーザが会員である期間に応じて、異なる会員トップページ１０３１を生成する。ウェブページ作成部４１３は、生成した会員トップページ１０３１を通信制御部４１１に出力する。
【０１５７】
図１７の（ｂ）に示すように、会員トップページ１０３１は、画像提供サイトに保存されているユーザの画像の一覧を表示するためのリンク画像１０３２を含んでいる。さらに、プレミアム会員については、会員トップページ１０３１は、画像提供サイトのユーザのページ（会員トップページまたは画像一覧ページ）のデザインをカスタマイズするページを表示するためのリンク画像１０３３を含んでいる。また、会員である期間が所定の第１閾値（例えば６ヶ月）以上である有料会員についても、会員トップページ１０３１に、デザインをカスタマイズするページを表示するためのリンク画像１０３３が含まれる。また、会員である期間が所定の第２閾値（例えば１２ヶ月）以上である無料会員についても、会員トップページ１０３１に、デザインをカスタマイズするページを表示するためのリンク画像１０３３が含まれる。ユーザは、リンク画像１０３３をクリックした先のページで指示を入力することにより、ユーザのページのデザインを好みに合わせて変更することができる。例えば、ユーザのページの背景画像、配色、スキン等を変更することができる。
【０１５８】
一方、会員である期間が第１閾値未満の有料会員、および第２閾値未満の無料会員については、会員トップページ１０３１に、デザインをカスタマイズするページを表示するためのリンク画像１０３３は含まれない。
【０１５９】
このように、会員期間が長い有料会員および無料会員については、管理サーバ４は、画像提供サイトにおいてプレミアム会員用の一部のサービスを提供する。プレミアム会員用の一部のサービスとは、例えば、プレミアム会員専用ページの一部の閲覧またはプレミアム会員のための追加編集の一部の機能等である。なお、無料会員よりも有料会員を優遇するために、無料会員に課せられる条件は有料会員に課せられる条件よりも厳しいものになっている。すなわち、有料会員が条件を満たすための第１閾値より、無料会員が条件を満たすための第２閾値は長い。なお、管理サーバ４は、ユーザが会員である一定期間毎に所定のポイントを付与し、累計ポイントに応じてユーザにプレミアム会員用の一部のサービスを提供するか否かを判定してもよい。無料会員または有料会員に、プレミアム会員用の一部のサービスを提供することは、ユーザが会員状態の継続することまたはプレミアム会員への乗り換え（変更）に繋がる。そのため、ユーザおよび画像提供サイトの運営者の双方にメリットがある。
【０１６０】
通信制御部４１１は、通信部４０３を通じて会員トップページ１０３１を携帯端末６に送信する（ステップＳ２４）。
【０１６１】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２５）。
【０１６２】
ユーザは、携帯端末６の入力部６０４を操作することによって、リンク画像１０３２を選択する（ステップＳ２６）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１６３】
管理サーバ４の通信制御部４１１は、送信されたリクエストを、通信部４０３を通じて受け付ける（ステップＳ２７）。次に通信制御部４１１は、画像データベース４２４に保存されているユーザの画像の一覧を含む画像一覧ページ１０４１の生成を、ウェブページ作成部４１３に指示する。
【０１６４】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２８）。
【０１６５】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２９）。
【０１６６】
ユーザは、携帯端末６の入力部６０４を操作することによって、表示中のサムネイル画像１０４２のうち、携帯端末６に保存したい画像に対応するサムネイル画像１０４２を選択する（ステップＳ３０）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１６７】
管理サーバ４の通信制御部４１１は、通信部４０３を通じて、送信されたリクエストを受信する（ステップＳ３１）。次に通信制御部４１１は、携帯端末６から提供を求められたユーザの画像を通信制御部４１１に出力するように、画像管理部４１４に指示する。
【０１６８】
画像管理部４１４は、指示された画像を画像データベース４２４から取得し、通信制御部４１１に出力する。通信制御部４１１は、通信部４０３を通じて、入力された画像を携帯端末６に送信する（ステップＳ３２）。
【０１６９】
携帯端末６の通信制御部６１１は、通信部６０３を通じて、送信された画像を受信（ダウンロード）し、記憶部６０２に保存する（ステップＳ３３）。以上により、携帯端末６への画像保存処理が完了する。
【０１７０】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１７１】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１７２】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１７３】
（保存できる画像数の合計の上限）
画像管理部４１４は、ユーザが画像データベース４２４に保存しておくことができる画像数の合計の上限を、無料会員では１０枚、有料会員では６０枚に制限する。例えば、上限を超えて新たな画像を保存する指示をユーザから受けた場合、画像管理部４１４は、保存しておく画像数が上限に収まるように、古い画像から順に削除する。画像データベース４２４に保存できる画像数の合計は、画像提供サイトで閲覧可能なユーザの画像の数を意味する。
【０１７４】
（画像の保存期間）
会員種類に応じて、画像提供サイトでのユーザの画像の保存期間が異なっていてもよい。無料会員では、画像提供サイトでの画像の保存期間は６ヶ月である。有料会員では、画像提供サイトでの画像の保存期間は１年である。プレミアム会員では、画像提供サイトでの画像の保存期間には制限がない。
【０１７５】
画像管理部４１４は、ユーザの画像の保存期間を管理する。各画像には、ユーザの会員種類に応じて、保存期間が設定されている。画像管理部４１４は、保存期間が経過した画像を画像データベース４２４から削除する。画像データベース４２４から削除された画像は、画像提供サイトでも閲覧できなくなる。
【０１７６】
（提供される画像の画質）
会員種類に応じて、画像提供サイトでユーザに提供される（ユーザがダウンロード可能な）画像の画質が異なっていてもよい。無料会員では、画像提供サイトからユーザがダウンロードすることができるユーザの画像の画素数（または画像サイズ）は、第１値である。有料会員では、画像提供サイトからユーザがダウンロードすることができるユーザの画像の画素数は、第１値より大きい第２値である。プレミアム会員では、画像提供サイトからユーザがダウンロードすることができるユーザの画像の画素数は、さらに第２値より大きい第３値である。プレミアム会員の方が、他の会員よりも高画質の画像をダウンロードすることができる。
【０１７７】
管理サーバ４は、写真シール作成装置１から受け取った画像を、会員種類に応じて画質変更してもよいし、写真シール作成装置１から画質変更された画像を受け取ってもよい。後者の場合、管理サーバ４は、画像を受け取る前にユーザの会員種類を写真シール作成装置１に通知する。また、写真シール作成装置１は、会員種類に応じて、編集前の撮影画像および落書き前の画像を追加的に管理サーバ４に送信してもよい。その際、写真シール作成装置１は、背景以外をマスクするマスク画像を管理サーバ４に送信してもよい。マスク画像があれば、管理サーバ４（画像提供サイト）において、背景画像を変更することが可能になる。また、写真シール作成装置１は、画像に含まれる顔の補正のために特定した顔認識のデータ（目等の特徴点を示すパラメータ）を、管理サーバ４に送信してもよい。そうすることで、管理サーバ４（画像提供サイト）において、画像の目の大きさおよび顔の大きさ等の修正を行うことが可能になる。
【０１７８】
以上では、料金より高いプレミアム会員用の一部の画像提供サービスを、料金のより安い有料会員および無料会員に提供する例について説明した。しかしこれに限らず、例えば、料金に関係なく所定の条件によって設定される、または管理サーバ４の運営者が指定する、特別会員（第１種会員）を設けてもよい。そして、特別会員用の一部のウェブサービスを、会員である期間が長い他の会員に提供してもよい。
【０１７９】
（変形例）
管理サーバ４は、会員である期間が長いユーザが無料会員であるか有料会員であるかに応じて、プレミアム会員用の異なる画像提供サービスを提供してもよい。例えば、管理サーバ４は、会員である期間が第１閾値（例えば６ヶ月）以上の有料会員に対して、画像データベース４２４に保存しておくことができる画像数の合計の上限を無くしてもよい。一方、管理サーバ４は、会員である期間が第２閾値（例えば６ヶ月）以上の無料会員に対して、プレミアム会員と同じ画質（画素数が第３値）の画像をダウンロードさせてもよい。この場合、第１閾値と第２閾値とは同じであっても異なっていてもよい。このように、管理サーバ４は、会員である期間が長い有料会員には、プレミアム会員用の一部の画像提供サービスを提供し、会員である期間が長い無料会員には、プレミアム会員用の他の一部の画像提供サービスを提供してもよい。
【０１８０】
また、例えば、会員である期間が長い有料会員には、プレミアム会員用の一部の画像提供サービスを提供するが、無料会員には、会員である期間の長さに関わらず、プレミアム会員用のいずれの画像提供サービスを提供しないとしてもよい。これにより、有料会員と無料会員とを差別化することができる。
【０１８１】
なお、管理サーバ４（制御部４０１（アクセス回数特定手段））は、ユーザ毎に画像提供サイトへのアクセス回数をカウントして記憶し、アクセス回数が所定の閾値以上であるユーザに、プレミアム会員用のさらに他の一部の画像提供サービスを提供してもよい。また、ユーザが画像データベース４２４に保存している画像の数が所定の閾値以上であるユーザに、プレミアム会員用のさらに他の一部の画像提供サービスを提供してもよい。また、管理サーバ４（シール特定情報受信手段）は、写真シール作成装置１が作成するシール紙毎に付与されるシールＩＤ（シール特定情報）を写真シール作成装置１から受信してユーザ毎に記憶し、シールＩＤの数（すなわち写真シール作成装置１の利用回数）が所定の閾値以上であるユーザに、プレミアム会員用のさらに他の一部の画像提供サービスを提供してもよい。
【０１８２】
〔実施形態２〕
本発明の他の実施形態について説明する。なお、説明の便宜上、実施形態１にて説明した図面と同じ機能を有する部材・構成については、同じ符号を付記し、その詳細な説明を省略する。実施形態１では、会員期間の長い下位の会員が、上位の会員用の一部の画像提供サービスを受ける形態について説明した。本実施形態では、会員期間の長い会員は、特典として専用のウェブコンテンツを利用することができる。
【０１８３】
以下に、ユーザが特典を利用する際の処理の流れについて、図１８および図１９を参照して説明する。図１８は、撮影画像管理システム１０における携帯端末６への画像保存に関する一連の処理の流れの一例を示すシーケンス図である。図１９は、特典を利用するために画像提供サイトにログインした時の、携帯端末６の表示部６０５に表示されるウェブページの一例を示す画面遷移図である。
【０１８４】
ユーザが携帯端末６から画像提供サイトにログイン要求を送信するステップＳ２１からステップ２３までの処理は、図１６で説明したものと同じである。Ｓ２３の後、会員期間特定部４１５は、特定された会員である期間をウェブページ作成部４１３に出力する。
【０１８５】
ウェブページ作成部４１３は、ユーザが会員である期間に応じて、異なる会員トップページ１０３１を生成する。ウェブページ作成部４１３は、生成した会員トップページ１０３１を通信制御部４１１に出力する。
【０１８６】
図１９の（ａ）に示すように、会員トップページ１０３１は、画像提供サイトに保存されているユーザの画像の一覧を表示するためのリンク画像１０３２を含んでいる。さらに、会員である期間が所定の第３閾値以上であるユーザについては、会員トップページ１０３１に、特典を利用するページを表示するためのリンク画像１０３４が含まれる。第３閾値は、会員種類毎に異なっていてもよい。例えば、より上位の会員（プレミアム会員および有料会員）は、下位の会員（無料会員）より短い期間で特典が受けられるようにしてもよい。
【０１８７】
一方、会員である期間が第３閾値未満のユーザについては、会員トップページ１０３１に、特典を利用するページを表示するためのリンク画像１０３４は含まれない。
【０１８８】
通信制御部４１１は、通信部４０３を通じて会員トップページ１０３１を携帯端末６に送信する（ステップＳ２４）。
【０１８９】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２５）。
【０１９０】
ユーザは、携帯端末６の入力部６０４を操作することによって、リンク画像１０３４を選択する（ステップＳ４０）。入力制御部６１２が、この選択操作を受け付けて、リンク画像１０３４が選択されたことを通信制御部６１１に通知する。これにより通信制御部６１１は、利用できる特典の表示を含むウェブページの提供を求めるリクエストを、通信部６０３を通じて管理サーバ４に送信する。
【０１９１】
管理サーバ４の通信制御部４１１は、送信されたリクエストを、通信部４０３を通じて受け付ける（ステップＳ４１）。次に通信制御部４１１は、利用できる特典の表示を含む特典ページ１０５１の生成を、ウェブページ作成部４１３に指示する。
【０１９２】
ウェブページ作成部４１３は、特典ページ１０５１を生成するためのデータを、ウェブページデータベース４２３から取得する。ウェブページ作成部４１３は、データを用いて、図１９の（ｂ）に示すような特典ページ１０５１を生成し、通信制御部４１１に出力する。特典ページ１０５１は、複数のウェブコンテンツを利用するための複数のリンクを含んでいる。
【０１９３】
リンク１０５２は、特典画像を提供するリンクである。特典画像とは、写真シール作成装置で撮影されたユーザの画像ではなく、例えば携帯端末６の待ち受け画像（背景画像）等の、特典としてダウンロードすることができる他の画像である。特典画像は、ユーザにとって収集意欲の上がる画像、例えば読者モデルまたはアイドル等の写真シール画像であってもよい。
【０１９４】
リンク１０５３は、特典映像を提供するリンクである。リンク１０５４は、特典アプリケーションを提供するリンクである。特典アプリケーションは、携帯端末６で動作可能なアプリケーションである。リンク１０５５は、特典音楽を提供するリンクである。特典画像、特典映像、特典アプリケーション、および特典音楽は、写真シール作成装置とは関係のないウェブコンテンツであってもよい。
【０１９５】
通信制御部４１１は、通信部４０３を通じて画像一覧ページ１０４１を携帯端末６に送信する（ステップＳ４２）。
【０１９６】
携帯端末６の通信制御部６１１は、通信部６０３を通じて特典ページ１０５１を受信する。通信制御部６１１は、受信した特典ページ１０５１を表示制御部６１３に出力する。表示制御部６１３は、特典ページ１０５１を表示部６０５に出力する。結果、表示部６０５に特典ページ１０５１が表示される（ステップＳ４３）。
【０１９７】
ユーザは、携帯端末６の入力部６０４を操作することによって、表示中の特典のうち、利用したい特典に対応するリンクを選択する（ステップＳ４４）。入力制御部６１２は、この選択操作を受け付けて、特典のリンクが選択されたことを通信制御部６１１に通知する。これにより通信制御部６１１は、選択された特典の提供を求めるリクエストを、通信部６０３を通じて管理サーバ４に送信する。
【０１９８】
管理サーバ４の通信制御部４１１は、通信部４０３を通じて、送信されたリクエストを受信する（ステップＳ４５）。次に通信制御部４１１は、携帯端末６から提供を求められた特典（ウェブコンテンツ）を通信制御部４１１に出力するように、ウェブページ作成部４１３に指示する。
【０１９９】
ウェブページ作成部４１３は、指示された特典のウェブコンテンツをウェブページデータベース４２３から取得し、通信制御部４１１に出力する。通信制御部４１１は、通信部４０３を通じて、入力されたウェブコンテンツ（例えば特典画像）を携帯端末６に送信する（ステップＳ４６）。
【０２００】
携帯端末６の通信制御部６１１は、通信部６０３を通じて、送信されたウェブコンテンツを受信（ダウンロード）し、記憶部６０２に保存する（ステップＳ４７）。以上により、管理サーバ４は、会員期間の長いユーザにウェブコンテンツを提供することができる。
【０２０１】
〔実施形態３〕
本発明のさらに他の実施形態について説明する。なお、説明の便宜上、実施形態１にて説明した図面と同じ機能を有する部材・構成については、同じ符号を付記し、その詳細な説明を省略する。本実施形態では、会員期間の長い会員は、写真シール作成装置の利用に関する特典を受けることができる。
【０２０２】
（管理サーバ５）
図２０は、本実施形態に係る管理サーバ５の要部構成を示すブロック図である。この図に示すように、管理サーバ５は、主に、制御部４０１、記憶部４０２、および通信部４０３を備えている。制御部４０１は、管理サーバ５に備えられる各部材を統括制御する。記憶部４０２は、管理サーバ５において使用される各種データを記憶する。通信部４０３は、撮影画像管理システム１０を構成する他の装置と通信する。
【０２０３】
（制御部４０１の詳細）
図２０に示すように、制御部４０１は、通信制御部４１１（特典情報送信手段）、メール作成部４１２、ウェブページ作成部４１３、画像管理部４１４、会員期間特定部４１５（会員期間特定手段）、および特典決定部４１６（特典決定手段）を備えている。
【０２０４】
（特典決定部４１６）
特典決定部４１６は、所定の条件を満たすユーザに特典を付与することを決定する。
【０２０５】
（特典の決定）
図２１は、撮影画像管理システム１０における特典の付与に関する一連の処理の流れの一例を示すシーケンス図である。管理サーバ５は、所定のタイミングで（例えば定期的に）、ユーザに付与する特典を判定する。
【０２０６】
会員期間特定部４１５は、会員データベース４２２から入会日および会員属性変更日等の情報を取得し、ユーザが会員である期間の長さを特定する（Ｓ５１）。なお、ユーザが入退会を繰り返している場合、会員期間特定部４１５は、ユーザが会員状態であった複数の期間の総和を、ユーザが会員である期間として特定してもよい。会員である断続的な各期間は、入会日と退会日との差である。会員期間特定部４１５は、特典決定部４１６にユーザが会員である期間の長さを通知する。
【０２０７】
特典決定部４１６は、ユーザが会員である期間の長さが第３閾値以上であるか否かを判定する。第３閾値は、会員種類毎に異なっていてもよい。例えば、より上位の会員は、より短い期間で特典が受けられるようにしてもよい。
【０２０８】
特典決定部４１６は、会員である期間の長さが第３閾値以上になった（到達した）ユーザに、写真シール作成装置１の利用に関する特典を付与することを決定する（Ｓ５２）。上記特典は、写真シール作成装置１の利用料を減額するものであってもよい。例えば、特典によって、特定の写真シール作成装置１の所定回数のプレイが半額または無料になる、または、所定の時（日時）のプレイが半額または無料になる。
【０２０９】
特典決定部４１６は、特典を付与するユーザの会員ＩＤおよびメールアドレスの情報を会員データベース４２２から取得する。特典決定部４１６は、特典を付与するユーザの会員ＩＤ（ユーザ特定情報）を、通信制御部４１１に出力し、該会員ＩＤのユーザに与える特典を通知する。また、特典決定部４１６は、特典を付与するユーザのメールアドレスをメール作成部４１２に出力し、特典を通知するメールを作成するようメール作成部４１２に指示する。
【０２１０】
通信制御部４１１は、特典を付与されるユーザの会員ＩＤを、通信部４０３を介して対象の写真シール作成装置１に送信する（Ｓ５３）。写真シール作成装置１の制御部２０１は、通信部２０３を介して会員ＩＤを受信し（Ｓ６１）、会員ＩＤを記憶部２０２に保存する。写真シール作成装置１は、受け取った会員ＩＤのユーザが上記特典の対象であると判断することができる。
【０２１１】
メール作成部４１２は、特典が付与される旨のメールを作成し、メールを通信制御部４１１に出力する。通信制御部４１１は、入力されたメールを、通信部４０３を介してユー
ザのメールアドレス宛に送信する（Ｓ５４）。携帯端末６の制御部６０１は、通信部６０３を介して特典を通知するメールを受け取る（Ｓ７１）。
【０２１２】
ユーザは、受信したメールによって、特典が付与された旨、特典の内容、および特典の対象となる写真シール作成装置１を知ることができる。ユーザは、写真シール作成装置１でゲームのプレイを始める前に、写真シール作成装置１と携帯端末６との間で通信させる。携帯端末６の通信制御部６１１は、記憶部６０２に格納されているユーザの会員ＩＤを取得し、この会員ＩＤを含みかつ特典の利用を通知する特典利用リクエストを、通信部６０３を通じて写真シール作成装置１に送信する（Ｓ７２）。
【０２１３】
写真シール作成装置１は、会員ＩＤを含む特典利用リクエストを受信する（Ｓ６２）。写真シール作成装置１（制御部２０１）は、管理サーバ５から受け取った特典が付与されるユーザの会員ＩＤと、携帯端末６から受け取った会員ＩＤとを照合することで、該ユーザが特典を利用することを許可する（Ｓ６３）。すなわち、写真シール作成装置１は、該ユーザに、減額された利用料でゲームをプレイさせる。ここでは、会員ＩＤによって特典が付与されるユーザを認証したが、例えば管理サーバ５が写真シール作成装置１およびユーザ（携帯端末６）にパスコード（認証コード）を送信し、パスコードを照合することによって、特典が付与されるユーザの認証を行ってもよい。この場合、ユーザの認証を行わずに、単にユーザが写真シール作成装置１にパスコードを入力し、写真シール作成装置１がパスコードに応じた特典を付与してもよい。パスコードの使用には、所定の有効期限が設定されていてもよい。
【０２１４】
〔ソフトウェアによる実現例〕
写真シール作成装置１、管理サーバ４、５、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing
Unit）を用いてソフトウェアによって実現してもよい。
【０２１５】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２１６】
以上のように、本発明の一態様に係る管理サーバは、ネットワークを介して写真シール作成装置に接続される管理サーバであって、上記写真シール作成装置から受信したユーザの画像を管理する画像管理手段と、上記画像の画像提供サービスを上記ユーザに提供するサービス提供手段と、上記ユーザが会員である期間の長さを特定する会員期間特定手段とを備え、上記サービス提供手段は、上記会員である期間の長さが第１閾値以上である上記ユーザに、上記会員である期間の長さが第１閾値未満である上記ユーザとは異なるウェブサービスを提供することを特徴としている。
【０２１７】
上記の構成によれば、サービス提供手段は、会員である期間の長さが第１閾値以上であるユーザに、第１閾値未満であるユーザとは異なるウェブサービスを提供する。それゆえ、会員である期間が長いユーザと短いユーザとを差別化することができる。これにより、ユーザに会員状態を継続する動機を与えることができる。ユーザが会員であれば、対応する写真シール作成装置を利用しやすくなるため、ユーザの写真シール作成装置の利用を促進することができる。なお、会員である期間には、２つの種類があり、いずれでもよい。一方は、直近の入会日から継続して会員である現在までの期間である。もう一方は、会員への入会と退会とを繰り返している場合における、会員である複数の期間の総和である。
【０２１８】
上記サービス提供手段は、上記ユーザの会員種類毎に異なる上記画像提供サービスを該ユーザに提供し、上記会員種類には、少なくとも、第２種会員と、上記第２種会員より多くの上記画像提供サービスを受けることができる第１種会員とがあり、上記サービス提供手段は、上記第２種会員である期間の長さが上記第１閾値以上である上記ユーザに、上記第１種会員用の一部の上記画像提供サービスを提供する構成であってもよい。
【０２１９】
上記の構成によれば、第２種会員である期間が長いユーザに対して、第１種会員用の一部の画像提供サービスを提供する。それゆえ、ユーザに会員状態を継続する動機を与えることができる。また、第１種会員用の一部の画像提供サービスは、元々第１種会員用に用意されているので、追加で他のサービスを用意する必要が無い。
【０２２０】
上記会員種類には、さらに第３種会員があり、上記第２種会員は、上記第３種会員より高い料金を支払う会員であり、上記サービス提供手段は、上記第３種会員である期間の長さが上記第１閾値より長い第２閾値以上である上記ユーザに、上記第１種会員用の上記一部の上記画像提供サービスを提供する構成であってもよい。
【０２２１】
上記の構成によれば、料金が安い（下位の）第３種会員のユーザにも、会員状態を継続する動機を与えることができる。第３種会員のユーザは、第２種会員のユーザよりも長い期間会員でなければ、第１種会員用の上記一部の画像提供サービスを受けることができない。そのため、第３種会員のユーザに、料金の高い第２種会員への変更（会員種類のアップグレード）を促すことができる。
【０２２２】
上記会員種類には、さらに第３種会員があり、上記第２種会員は、上記第３種会員より高い料金を支払う会員であり、上記サービス提供手段は、上記第３種会員である期間の長さが第２閾値以上である上記ユーザに、上記第１種会員用の他の一部の上記画像提供サービスを提供する構成であってもよい。
【０２２３】
上記の構成によれば、会員である期間が長い第３種会員に、会員である期間が長い第２種会員とは異なる、上記第１種会員用の他の一部の上記画像提供サービスを提供する。それゆえ、第２種会員と第３種会員とを差別化し、かつ、第２種会員または第３種会員であるユーザに会員状態を継続する動機を与えることができる。
【０２２４】
上記サービス提供手段は、上記会員種類に応じて、画像提供用ウェブページのデザイン、上記画像の画質、上記画像の取得可能期間、および取得可能な上記画像の上限数のうち少なくとも１つを異ならせる構成であってもよい。
【０２２５】
上記サービス提供手段は、上記会員である期間の長さが上記第１閾値以上である上記ユーザに、ウェブにおいて、他の画像、映像、アプリケーション、または音楽を含む、ウェブコンテンツの利用を許可する構成であってもよい。
【０２２６】
上記管理サーバは、上記画像提供サービスを行うウェブサイトへの、上記ユーザのアクセス回数を特定するアクセス回数特定手段を備え、上記サービス提供手段は、上記アクセ
ス回数が第４閾値以上である上記ユーザに、上記アクセス回数が上記第４閾値未満である上記ユーザとは異なるウェブサービスを提供する構成であってもよい。
【０２２７】
上記サービス提供手段は、上記画像管理手段が管理する上記ユーザの上記画像の数が第５閾値以上である上記ユーザに、上記画像の数が上記第５閾値未満である上記ユーザとは異なるウェブサービスを提供する構成であってもよい。
【０２２８】
上記管理サーバは、上記写真シール作成装置が作成するシール毎に付与されるシール特定情報を受信するシール特定情報受信手段を備え、上記サービス提供手段は、入力された上記シール特定情報の数が第６閾値以上である上記ユーザに、上記入力された上記シール特定情報の数が上記第６閾値未満である上記ユーザとは異なるウェブサービスを提供する構成であってもよい。
【０２２９】
本発明の一態様に係る管理サーバは、ネットワークを介して写真シール作成装置に接続される管理サーバであって、ユーザが会員である期間の長さを特定する会員期間特定手段と、上記会員である期間の長さが第３閾値以上になった上記ユーザに、上記写真シール作成装置の利用に関する特典を付与することを決定する特典決定手段と、上記写真シール作成装置に、上記特典が付与される上記ユーザを特定するユーザ特定情報を送信する特典情報送信手段とを備えることを特徴としている。
【０２３０】
上記の構成によれば、会員である期間の長さが第３閾値以上になったユーザに、写真シール作成装置の利用に関する特典が付与される。これにより、ユーザに会員状態を継続する動機を与えることができる。ユーザが会員であれば、対応する写真シール作成装置を利用しやすくなるため、ユーザの写真シール作成装置の利用を促進することができる。なお、写真シール作成装置は、例えばユーザ特定情報に基づいて、特典が付与されたユーザを判別することができる。
【０２３１】
上記特典決定手段は、上記ユーザへの上記特典として、所定の回数または所定の時の上記写真シール作成装置の利用料を減額する構成であってもよい。
【０２３２】
上記管理サーバは、上記写真シール作成装置において生成された画像の画像提供サービスを行うウェブサイトへの、上記ユーザのアクセス回数を特定するアクセス回数特定手段を備え、上記特典決定手段は、上記アクセス回数が第７閾値以上になった上記ユーザに、上記特典を付与することを決定する構成であってもよい。
【０２３３】
上記管理サーバは、上記写真シール作成装置から受信したユーザの画像を管理する画像管理手段を備え、上記特典決定手段は、上記画像管理手段が管理する上記ユーザの上記画像の数が第８閾値以上になった上記ユーザに、上記特典を付与することを決定する構成であってもよい。
【０２３４】
上記管理サーバは、上記写真シール作成装置が作成するシール毎に付与されるシール特定情報を受信するシール特定情報受信手段を備え、上記特典決定手段は、入力された上記シール特定情報の数が第９閾値以上になった上記ユーザに、上記特典を付与することを決定する構成であってもよい。
【０２３５】
本発明の一態様に係る管理サーバの制御方法は、ネットワークを介して写真シール作成装置に接続される管理サーバの制御方法であって、上記写真シール作成装置から受信したユーザの画像を管理する画像管理ステップと、上記画像の画像提供サービスを上記ユーザに提供するサービス提供ステップと、上記ユーザが会員である期間の長さを特定する会員期間特定ステップと、上記会員である期間の長さが第１閾値以上である上記ユーザに、上
記会員である期間の長さが第１閾値未満である上記ユーザとは異なるウェブサービスを提供するウェブサービス提供ステップとを含むことを特徴とする。
【０２３６】
本発明の一態様に係る管理サーバの制御方法は、ネットワークを介して写真シール作成装置に接続される管理サーバの制御方法であって、ユーザが会員である期間の長さを特定する会員期間特定ステップと、上記会員である期間の長さが第３閾値以上になった上記ユーザに、上記写真シール作成装置の利用に関する特典を付与することを決定する特典決定ステップと、上記写真シール作成装置に、上記特典が付与される上記ユーザを特定するユーザ特定情報を送信する特典情報送信ステップとを含むことを特徴とする。
【０２３７】
本発明の各態様に係る管理サーバは、コンピュータによって実現してもよく、この場合には、コンピュータを上記管理サーバが備える各手段として動作させることによって上記管理サーバをコンピュータにて実現させる管理サーバの制御プログラム、およびそれを記録したコンピュータ読み取り可能な記録媒体も、本発明の範疇に入る。
【０２３８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３９】
本発明は、写真シール作成装置において作成されたユーザの撮影画像を管理サーバに保存する撮影画像管理システムとして、幅広く利用することができる。
【符号の説明】
【０２４０】
１  写真シール作成装置
４、５  管理サーバ
６  携帯端末（ユーザ端末）
１０  撮影画像管理システム
１１  撮影ユニット
１２  編集部
１３  事後接客部
２１  撮影部
２０１  制御部
３１１  通信制御部
３１２  撮影制御部
３１３  編集制御部
３１４  印刷制御部
３１５  事後接客制御部
４０１  制御部（アクセス回数特定手段、シール特定情報受信手段）
４０２  記憶部
４０３  通信部
４１１  通信制御部（特典情報送信手段）
４１２  メール作成部
４１３  ウェブページ作成部（サービス提供手段）
４１４  画像管理部（画像管理手段）
４１５  会員期間特定部（会員期間特定手段）
４１６  特典決定部（特典決定手段）
６０１  制御部
６０２  記憶部
６０３  通信部
６０４  入力部
６０５  表示部
６１１  通信制御部
６１２  入力制御部
６１３  表示制御部
【図１】
2018197862.tif 000003
【図２】
2018197862.tif 000004
【図３】
2018197862.tif 000005
【図４】
2018197862.tif 000006
【図５】
2018197862.tif 000007
【図６】
2018197862.tif 000008
【図７】
2018197862.tif 000009
【図８】
2018197862.tif 000010
【図９】
2018197862.tif 000011
【図１０】
2018197862.tif 000012
【図１１】
2018197862.tif 000013
【図１２】
2018197862.tif 000014
【図１３】
2018197862.tif 000015
【図１４】
2018197862.tif 000016
【図１５】
2018197862.tif 000017
【図１６】
2018197862.tif 000018
【図１７】
2018197862.tif 000019
【図１８】
2018197862.tif 000020
【図１９】
2018197862.tif 000021
【図２０】
2018197862.tif 000022
【図２１】
2018197862.tif 000023